(57)【要約】【課題】電子透かし等により直接デジタル化された著作物に加工を行わず、著作物の二次利用において、著作権者の権利を保護し、かつ、引用の可否を明確にし、著作物の利用を容易とする二次著作物作成システムの提供を目的とする。【解決手段】複数のデジタル化された素材データを組み合わせ、一次著作物を生成する一次著作物作成部１と、一次著作物を、二次著作物の作成に用いる、所定の構成単位の部品素材に分割化し、部品素材毎に、各部品素材を識別する識別子、及び部品素材の使用許可の有無を示す引用可否データを含む部品素材情報を添付する部品素材化部２と、一次著作物及び部品素材情報を、二次著作物作成の引用著作物作品情報として記憶するデータベース３とを具備することを特徴とする。【選択図】　　　図１
2004118324.tif 000002
【特許請求の範囲】
【請求項１】
複数のデジタル化された素材データを組み合わせ、一次著作物を生成する一次著作物作成部と、
前記一次著作物を、二次著作物の作成に用いる、所定の構成単位の部品素材に分割化し、部品素材毎に、各部品素材を識別する識別子、及び部品素材の使用許可の有無を示す引用可否データを含む部品素材情報を添付する部品素材化部と、
前記一次著作物及び前記部品素材情報を、二次著作物作成の引用著作物作品情報として記憶するデータベースと
を具備することを特徴とする二次著作物作成システム。
【請求項２】
前記引用可否データに基づき、前記引用著作物作品情報から利用可能な部品素材を選択し、１つまたは複数の部品素材を含む二次著作物を作成する二次著作物作成部を有すことを特徴とする請求項１に記載の二次著作物作成システム。
【請求項３】
前記二次著作物作成部が、前記二次著作物に使用する素材データの情報として、引用著作物作品情報から引用する部品素材の識別子を設定することを特徴とする請求項１または請求項２に記載の二次著作物作成システム。
【請求項４】
前記二次著作物を表示するとき、前記識別子に基づき特定される部品素材を、前記引用著作物作品情報から読み出して、この二次著作物における部品素材の配置位置に配置することを特徴とする請求項１から請求項３のいずれかに記載の二次著作物作成システム。
【請求項５】
前記二次著作物が前記部品素材の配置位置を示す位置特定情報を含むことを特徴とする請求項１から請求項４のいずれかに記載の二次著作物作成システム。
【発明の詳細な説明】
【０００１】
【発明の属する技術分野】
本発明は、文字データ、画像データ、音声データ、動画データなどのあらゆるデジタルデータ（コンテンツ）を扱った著作物を、この著作物の著作権者が所定の単位に部品化して、それぞれの部品単位で二次著作物への利用を可能とする二次著作物作成システムに係わるものである。
【０００２】
【従来の技術】
インターネットの急激な普及により、デジタル化されたコンテンツ（著作権により保護された著作物を含む）の流通が大きく変わってきている。
デジタル化された著作物の提供手段としては、インターネットが普及することにより、多くのインターネット上のホームページから、ネットワークを通じて、誰でもが容易にデジタル化された著作物を手に入れることができる。
【０００３】
この状況の中、デジタル化された著作物の二次利用が深刻な問題となっている。著作物を利用者が著作物の著作権者に許可を得ずコピーし、二次著作物を作成し配布することが容易にできてしまうのが現状である。
現在、著作物の著作権保護が深刻な問題になっており、著作物の著作権者の権利を守り、かつ、二次著作物の作成を可能とする対策として、インターネットや媒体によって提供されるデジタル化された著作物（以下、デジタルコンテンツとする）に対して、電子透かし等の技術（例えば、特許文献１参照）を用いて（著作権情報を映像・音声信号そのものに埋込む）、一次著作物を利用した二次著作物の管理を行っている。
また、著作権者が使用を許可した著作物に利用可能を示すデータを添付して、インターネット等に供給し、この著作物の引用利用を行わせる（例えば、特許文献２参照）ことで一次著作物を利用した二次著作物の管理を行っている。
【０００４】
【特許文献１】
特開２００２−２４７３４２号公報　（第３−４頁、第１図）
【特許文献２】
特開平１０−５５３８９号公報　（第３頁、第１図）
【０００５】
【発明が解決しようとする課題】
しかしながら、上述した特許文献１に記載された管理方法では、すでに著作権を侵されている可能性のあるデジタルコンテンツを検索・抽出し、抽出されたものを検査及び検証することによって著作権の侵害を確認したり、また、第３者の通報等により通知された、他の人の著作権を侵害した可能性のあるデジタルコンテンツを検証することによってしか、著作権の侵害を確認することができない。
すでに、インターネットを介して、非常に多くのデジタルコンテンツが供給されているため、上述した電子透かしの技術には、すでに侵害されているものの確認しか行えず、侵害させないという事前の防止策とはなり難い欠点がある。
【０００６】
さらに、上述した特許文献２に記載された管理方法では、すでに作成された素材の単位でしか引用を可能とすることは出来ない。
すなわち、過去に作成した著作物を引用可能な素材とするとき、その素材の単位（作品全体）でしか引用を可能とすることは出来ず、一次著作物の作成者が作品の一部の利用を可能としようとしても、一部の利用を許可するシステム構成でないため、所定の作品の部分的な引用を行えない。
例えば、風景画の素材がある場合、従来の方法ではその風景画の単位でしか引用可能と出来ないため、風景の中の山のみを引用可能と設定することができない。
【０００７】
本発明はこのような背景の下になされたもので、電子透かし等により直接デジタル化された著作物に対して加工を行うことなく、且つ、作品の部分的な引用を可能とし、著作物の二次利用を前提に引用する素材を作成することにより、著作権者の権利を保護しつつ、且つ、著作権に基づく引用の可否を明確にし、著作物の二次利用を容易とする二次著作物作成システムの提供を目的とする。
【０００８】
【課題を解決するための手段】
本発明の二次著作物作成システムは、複数のデジタル化された素材データを組み合わせ、一次著作物を生成する一次著作物作成部と、前記一次著作物を、二次著作物の作成に用いる、所定の構成単位の部品素材に分割化し、部品素材毎に、各部品素材を識別する識別子、及び部品素材の使用許可の有無を示す引用可否データを含む部品素材情報を添付する部品素材化部と、前記一次著作物及び前記部品素材情報を、二次著作物作成の引用著作物作品情報として記憶するデータベースとを具備することを特徴とする。
【０００９】
本発明の二次著作物作成システムは、前記引用可否データに基づき、前記引用著作物作品情報から利用可能な部品素材を選択し、１つまたは複数の部品素材を含む二次著作物を作成する二次著作物作成部を有すことを特徴とする。
本発明の二次著作物作成システムは、前記二次著作物作成部が、前記二次著作物に使用する素材データの情報として、引用著作物作品情報から引用する部品素材の識別子を設定することを特徴とする。
【００１０】
本発明の二次著作物作成システムは、前記二次著作物を表示するとき、前記識別子に基づき特定される部品素材を、前記引用著作物作品情報から読み出して、この二次著作物における部品素材の配置位置に配置することを特徴とする。
本発明の二次著作物作成システムは、前記二次著作物が前記部品素材の配置位置を示す位置特定情報を含むことを特徴とする。
【００１１】
【発明の実施の形態】
本発明の二次著作物作成システムにおいては、顧客に対して提供可能なデジタル化された著作物として、「一次著作物」、「引用可能とされた一次著作物」、及び「引用可能とされた一次著作物」に基づいて作成された「二次著作物」の３形態を作成することが可能であり、それぞれ一つの著作物として、すなわち、一次著作物作品情報、引用著作物作品情報、二次著作物作品情報として記憶媒体に保存し、各々配布することができる。
この記憶媒体としては、ハードディスク、フレキシブルディスク、ＣＤ（Ｃｏｍｐａｃｔ　Ｄｉｓｃ）、ＤＶＤ（Ｄｉｇｉｔａｌ　Ｖｉｄｅｏ　Ｄｉｓｃ）等がある。
また、インターネット等のネットワークを経由し、上記各著作物の配布を可能とすることもでき、このネットワークを経由したこれら著作物の配布を行う場合、各著作物のデータを所定のデータベースへ保存することなども可能である。
【００１２】
以下、図面を参照して本発明の実施形態について説明する。図１は本発明の一実施形態による二次著作物作成システムの構成例を示すブロック図である。
この図において、一次著作物作成部１は、パーソナルコンピュータ等で構成されており、デジタルコンテンツ作成者が素材（画像、文字、音声、動画等）データを任意に組み合わせ、著作物としてのデジタルコンテンツを作成するユーティリティソフトがインストールされている。
【００１３】
すなわち、一次著作物作成部１は、デジタル化された一次著作物に含まれる一次著作物情報と、一次ページ情報と、一次素材情報とを含む一次著作物作品情報を、各一次著作物毎にデータベース３へ記憶させる。
ここで、一次著作物情報は、各一次著作物を識別（特定）するための一次著作物識別子、一次著作物の作品名、著作権を有する権利者名、一次著作物の種類（動画、画像や文字のようにページ単位に画面表示を行う著作物であるのか、音楽のように画面表示を行わずに再生を行う著作物なのか等）を示す一次著作物固有データ、一次著作物の各ページ（画像で言うと１画面、音楽で言うと１曲などの単位）を特定する一次ページ識別子のリスト（一覧表）を特定する（識別する）一次ページ識別子リストを有している。
【００１４】
また、一次ページ情報は、各ページの一次ページ情報を特定する（識別する）一次ページ識別子（上記一次ページ識別子リストに登録されて、一次著作物情報に対して関連づけられている）、一次著作物の作成に使用した素材データの生データなどを含む一次素材情報を特定（識別）する一次素材識別子の上記１ページ単位（すなわち、各ページ各々に含まれる各一次素材情報を特定する一次素材識別子）のリストである一次素材識別子リストを有している。
さらに、一次素材情報は、各一次素材情報を識別する一次素材識別子（一次素材識別子リストに登録されて、一次ページ情報に関連づけられている）、この一次素材識別子により特定される一次素材情報における素材データの種類（例えば画像であるか音楽であるかなど）を示す素材分類、素材データが配置される位置（各素材データがページにおいて配置されている位置）を示すレイアウト、生データとしての素材データ、素材データが表示情報であるか圧縮画像であるかなどの状態を示す分類固有データとを有している。
【００１５】
部品素材化部２は、一次著作物を部品素材化する機能のユーティリティソフトウェアがインストールされており、上記一次著作物作成部１において作成された一次著作物を、利用者の処理により、任意の単位で分割することで部品素材化し、それぞれ生成された部品素材毎に二次著作物の作成において引用が可能か否かを示す引用可否データを、上記引用著作物作品情報における部品素材情報に含めて設定できる。
この引用著作物作品情報は、一次著作物作品情報に対して、上記部品素材情報を添付した、引用可能な素材データを有する一次著作物（引用可能な一次著作物）である。
すなわち、引用著作物作品情報を購入した利用者は、引用可否データが引用可能の状態である一次素材情報の素材データを利用することが可能である。
【００１６】
また、引用著作物作品情報は、一次著作物作品情報における一次ページ情報に換えて、引用ページ情報が設けられている。
この引用ページ情報は、一次ページ情報に対して、部品素材化された一次素材の部品素材情報を特定する部品素材識別子が、ページ単位に登録されているリストである部品素材識別子リストが加えられたものである。
そして、部品素材情報は、各引用著作物作品情報における一次素材情報に対して関連づけされる情報であり、上記引用可否データに加えて、この部品素材情報を識別する部品素材識別子（上記部品素材識別子リストに登録されて、引用ページ情報と関連づけられている）、上記一次素材識別子、この一次素材識別子が特定する素材データ（デジタルコンテンツ）における部品素材として引用する位置及び範囲（領域）を示す部品固有データ（画像、動画等であれば、一次素材識別子が特定する素材データから引用する部品化された部品素材の位置及び範囲であり、また素材データから人物などを部品素材化する場合、輪郭により抽出された実画像データが記憶されるが、音楽や音声で有ればタイムテーブルにおける位置情報、文字であれば実データ（文字データ）または文字範囲となる）を含んでいる。
【００１７】
そして、部品素材化部２は、一次著作物の作成者（著作者）の処理により、著作者が二次利用（二次著作物への利用）を許可する任意の単位において、すなわち、引用可能の可否を設定する任意の単位に、一次著作物を分解して部品素材を作成することで、一次著作物の部品素材化（たとえば、ページ、文字データは段落や文字単位、画像データはレイヤ及び領域単位、動画データはフレーム単位または１枚の画像のレイヤや領域単位、音声データはタイムテーブル単位等）を行う。
ここで、上述した部品素材化部２の部品化処理において、任意の単位で分解としているが、元の一次著作物を実際に分解するのではなく、二次利用を許可する任意の単位の領域を参照（引用）できるように、一次著作物の素材データを、二次利用の参照範囲の領域ごとに範囲指定及び素材データの一部データを抽出することを、一次著作物の分解として定義している。
そして、部品素材化部２は、部品素材化の処理において、部品素材毎に部品素材情報を添付して、引用可能の可否を作成者の入力に応じて引用可否データにより設定する。
【００１８】
したがって、一次著作物の作成者が二次利用を、引用可否データにおいて許可しない限り、二次著作物の作成者は、一次著作物の部品化された部品素材を利用することが出来ない。
また、部品素材化においては、一次著作物の所定の領域の素材データを指定して、この素材データ単位を部分素材化する場合と、素材データを部分素材（例えば、画像においてキャラクタを抽出、音楽であると特定の楽器の音色や人の声を抽出）として部品素材化する方法との両方が可能である。
【００１９】
また、部品素材化部２は、上述した部品素材情報を、引用可能とされた部品素材データ（部品素材）を含む一次著作物毎に対応して、データベース３に記憶する。
これにより、引用可能とされた部品素材を含む一次著作物作品情報と、各部品素材に対応して、それぞれの部品素材が引用可能か否かを示す部品素材情報とが１つの著作物データ、すなわち引用著作物作品情報を構成して、データベース３に記憶されることとなり、二次利用を許可された一次著作物が、引用可能な一次著作物（引用著作物作品情報：引用可能なのは対応する部品素材データのみであるが）となり、二次著作物作成者に供給されることとなる。
一方、一次著作物作成部１で作成された一次著作物は、部品素材化部２によって部品素材化し、引用可能な一次著作物（上記引用著作物作品情報）とすることも、一方、そのままのデジタルコンテンツとして、後に述べる一次著作物閲覧部４により作品として閲覧することが可能である。
【００２０】
一次著作物閲覧部４は、パーソナルコンピュータまたは専用端末（専用端末の場合、一次著作物を閲覧するユーティリティソフトウェアがインストールされている）等で構成されており、一次著作物作成部１で作成された著作物を、一次著作物作品情報における一次著作物情報、一次ページ情報、一次素材情報の通り表示する。
また、一次著作物閲覧部４は、後に説明する引用著作物作品情報も、上述した一次著作物と同様に閲覧することができる。
ここで、閲覧者は、ＣＤ、ＤＶＤ等の記録媒体及びインターネットなどから、一次著作物と、この一次著作物（または引用著作物作品情報）を閲覧するユーティリティソフトウェアとを購入する等して、閲覧の権利を得た場合においてのみ閲覧することができる。
一次著作物作成部１は、所定の一次著作物作品情報を、データベース３から読み出し、ＣＤ及びＤＶＤ等の記録媒体に記憶させるか、またはインターネット等のネットワークを介して、一次著作物閲覧部４へ配給する。
【００２１】
また、一次著作物閲覧部４において閲覧する目的で、ＣＤ、ＤＶＤ等の記録媒体及びインターネットなどにより配給される一次著作物には、一次著作物作品情報のみが記録されており、二次著作物の作成に必要な引用可否データを有する部品素材情報が含まれていない。
したがって、閲覧者は、上記部品素材情報が含まれておらず、引用可能な部品素材が不明であるために、二次著作物作成のため部品素材を、一次著作物作品情報から抽出することができず、閲覧のみの目的で購入した一次著作物から二次著作物の作成を行うことはできない。
【００２２】
二次著作物作成部５は、パーソナルコンピュータまたは専用端末（専用端末の場合、二次著作物を作成するユーティリティソフトウェアがインストールされている）等で構成されており、引用可能な一次著作物における、引用可能な部品素材を用いて、二次著作物を作成する。
このパーソナルコンピュータには、引用可能とした一次著作物が記憶されたＣＤまたはＤＶＤ、またはインターネットを介して、一次著作物とともに購入した二次著作物作成の機能を有する専用のユーティリティソフトウェアがインストールされている。
【００２３】
ここで、二次著作物の作成者は、引用著作物作品情報を、例えばＣＤ−ＲＯＭ等により購入することにより、一次著作物の閲覧の権利、引用可能として部品素材化された部品素材を引用した二次著作物の作成の権利を得ることとなる。
また、二次著作物作成部５において二次著作物を作成する目的で、ＣＤ、ＤＶＤ等の記録媒体及びインターネットなどにより配給される引用著作物作品情報には、一次著作物作品情報に加えて、二次著作物の作成に必要な部品素材情報が含まれている。
したがって、二次著作物作成者は、引用著作物作品情報に含まれている部品素材情報に基づき、一次著作物の閲覧に加えて、この購入した引用著作物作品情報から引用可能な部品素材（一次著作物から部品素材化された素材データ）を選択して二次著作物の作成を行う。
【００２４】
すなわち、二次著作物作成部５は、二次著作物の作成者が、自ら作成した素材データ（画像、文字、音声、動画等）と、引用著作物作品情報より抽出され、引用された部品素材（引用可否データにおいて引用可能と設定された素材データ）とを適時組み合わせ、二次著作物を作成する。
また、二次著作物の作成者は、二次著作物作成部５において、一次著作物作成部１において作成された一次著作物から、素材データの引用を行うため（引用著作物作品情報から部品素材の引用を行うため）、引用著作物作品情報を購入し、一次著作物における素材データの引用の権利を得た場合のみ、二次著作物の作成を行うことができる。
【００２５】
そして、二次著作物作成部５は、二次著作物情報、二次ページ情報、二次素材情報及び引用部品素材情報を含む、二次著作物作品情報を生成して出力する。
すなわち、二次著作物作成部５は、二次著作物情報、二次ページ情報、二次素材情報及び一次著作物から引用した部品素材情報を示す引用部品素材情報を１つの著作物データ、すなわち二次著作物作品情報として出力し、記憶部６に記憶する。
ここで、二次著作物情報は、この二次著作物を特定（識別）する二次著作物識別子と、二次著作物の作品名と、二次著作物の著作権を有する権利者名と、二次著作物の種類（画像のようにページ単位に画面表示を行う著作物であるか、音楽のように画面表示を行わずに再生を行う著作物であるのかを示す）二次著作物固有データと、二次著作物の有する各ページを特定する二次ページ識別子のリストである二次ページ識別子リストを有している。
【００２６】
また、二次ページ情報は、この二次著作物のページを特定する二次ページ識別子（上記二次ページ識別子リストに登録されて、二次著作物情報と関連付けられている）と、各ページに用いられている二次素材データ（二次著作物作成者の作成した素材データ）各々の二次素材情報を特定する二次素材識別子が、対応するページ単位に登録されたリストである二次素材識別子リストと、一次著作物から引用した素材データ各々の引用部品素材情報を特定する引用部品素材識別子が、対応するページ単位に登録された引用部品素材識別子リストとから構成されている。
ここで、二次素材情報は、二次著作物の作成者が自身で作成した二次素材データ各々を識別する二次素材識別子（上記二次素材識別子リストに登録されて、二次ページ情報と関連付けられている）と、上記素材データの種類（画像、動画、音声、文字など）を示す素材分類と、この二次素材データの表示される位置を示すレイアウトと、実データ（文字データ、画像データ、音声データ）である二次素材データと、表示情報や、圧縮情報（どのような圧縮方法で処理されているかを示す）などを示す分類固有データとから構成されている。
【００２７】
さらに、引用部品素材情報は、この引用部品素材情報各々を識別する引用部品素材識別子（上記引用部品素材識別子リストに登録されて、二次ページ情報と関連付けられている）と、引用元の一次著作物を識別する一次著作物識別子と、引用した部品素材の部品素材情報を識別する部品素材識別子と、この部品素材が表示される（配置される）表示位置を示すレイアウトから構成されている。
ここで、上記部品素材識別子は、引用著作物作品情報における部品素材識別子と同様のものであり、部品素材情報と引用部品素材情報とを関連づけている。
関連づけられている各情報においては、上述した各識別子をキーとして用い、相互に検索を行うことができる。
【００２８】
例えば、二次著作物情報の二次ページ識別子リストに登録され、記載されている二次ページ識別子各々により、二次著作物作品情報における対応するページの二次ページ情報が検索されて、抽出される。
そして、この二次ページ情報の二次素材識別子リストに登録され、記載されている二次素材識別子各々により、対応する二次素材情報が検索されて、抽出される。
さらに、二次ページ情報の引用部品素材識別子リストに登録され、記載されている引用部品素材識別子各々により、対応する引用部品素材情報が検索されて、抽出される。
したがって、上述したように、二次著作物情報で使用されている二次素材データ、及び部品素材の特定（引用著作物情報における部品素材情報の抽出）が行える。
【００２９】
一次著作物作品情報における一次ページ識別子リスト、及び一次ページ識別子の関連づけと、一次素材識別子リスト、及び一次素材識別子の関連づけも上述した二次著作物作品情報と同様である。
さらに、引用著作物作品情報における一次ページ識別子リスト、及び一次ページ識別子の関連づけと、一次素材識別子リスト、及び一次素材識別子の関連づけと、部品素材識別子リスト、及び部品素材識別子の関連づけとも上述した二次著作物作品情報と同様である。
【００３０】
また、二次著作物作成部５は、一次著作物を用いて作成された二次著作物を、二次著作物の閲覧者に対して、記憶部６から読み出し、上述した各情報（二次著作物情報、二次ページ情報、二次素材情報、引用部品素材情報など）を含んだ二次著作物作品情報として出力する。
そして、二次著作物の作成者は、上記二次著作物作品情報をＣＤ及びＤＶＤ等の記録媒体に記録して頒布したり、インターネットを介して流通（販売）させることとなる。
【００３１】
図１の構成においては、ＣＤ−ＲＯＭによる流通を想定しているが、上述したように、インターネットや専用回線などのネットワークにおいて、デジタル著作物の販売システム等を利用して流通させることも可能である。
図２に示す形式により、すでに説明した一次著作物作品情報、引用著作物作品情報がデータベース３に記憶され、また、二次著作物作品情報が記憶部６に記憶されている。
【００３２】
二次著作物閲覧部７は、パーソナルコンピュータで構成されており、二次著作物作品情報とともに購入する、二次著作物を閲覧する機能を有するユーティリティソフトウェアがインストールされている。
また、二次著作物閲覧部７は、二次著作物作成部５で作成された二次著作物を、入手した二次著作物作品情報（すなわち、二次著作物情報、二次ページ情報、二次素材情報、引用部品素材情報など）において、引用部品素材情報における一次著作物識別子及び部品素材識別子とにより、一次著作物から引用されている部品素材としての素材データを、引用著作物作品情報から検索し、抽出された部品素材を用いて表示する。
ここで、二次著作物の閲覧者は、ＣＤ及びＤＶＤ等により、またはインターネットを介して引用著作物作品情報を購入し、かつ、二次著作物作品情報を購入することにより、一次著作物からの素材データの引用及び二次著作物の閲覧の双方の権利を取得した場合のみ、二次著作物閲覧部７において、二次著作物の閲覧を行うことができる。
【００３３】
すなわち、二次著作物の閲覧者は、二次著作物閲覧部７において、二次著作物を閲覧するとき、引用部品素材情報における一次著作物識別子及び部品素材識別子で示される引用著作物作品情報に含まれる部品素材（部品素材化された素材データ）を、実際に引用著作物作品情報から引用して、二次著作物の所定の位置に、引用部品素材情報のレイアウトに基づき配置された状態で閲覧することになる。
【００３４】
このように、二次著作物は、引用可能とされた一次著作物（引用著作物作品情報）の素材データを、コピー（複写）して、実体としてはめ込んだ状態として作成されるのではなく、引用可能とされた一次著作物の素材データから生成された部品素材を、一次著作物識別子及び部品素材識別子によって識別し、引用著作物作品情報から抽出・引用（ハイパークォート）することにより作成されている。
このため、二次著作物内の一次著作物の引用部分（引用著作物作品情報から引用される部品素材）は、二次著作物内に実体として存在せず、閲覧するために抽出・引用する一次著作物の素材データを有する引用著作物作品情報が必ず必要となる。
【００３５】
上述したように、二次著作物の作成者は、引用可能な一次著作物である引用著作物作品情報を購入し、一次著作物の引用可能な素材データを引用する権利を得て、この引用可能な部品素材と、自身が生成した二次素材データとを組み合わせることで二次著作物作品情報の作成を行う。
また、二次著作物の閲覧者は、二次著作物作品情報と、上記引用著作物作品情報との双方を購入することで、二次著作物の閲覧の権利を得て、且つ、この二次著作物で引用している一次著作物の引用可能な素材データの引用の権利を得て、初めて二次著作物の閲覧可能となる。
【００３６】
すでに述べたように、本発明の二次著作物作成システムは、一次著作物の引用可能な素材データを複写し、二次著作物に直接この素材データを貼り付けるのではなく、引用した部品素材を特定する部品素材識別子と、この部品素材の配置する位置を示すレイアウトとを、引用した部品素材の実体データに換えて、二次著作物作品情報の引用部品素材情報に含めて流通させている。
このため、本発明の二次著作物作成システムは、引用著作物作品情報を使用して二次著作物を作成して、この二次著作物の閲覧時に、この使用した引用著作物作品情報から部品素材を実体として引用しているため、閲覧者が二次著作物を閲覧しようとする場合、引用可能な一次著作物である引用著作物作品情報が必ず必要となり、二次著作物を閲覧するために、上記引用著作物作品情報が購入され、且つ、この一次著作物の作成者が引用を許可する部品素材単位でしか、二次著作物の作成者が一次著作物の素材データを引用することが出来ないため、一次著作物の作成者の各素材データの著作権を容易に保護することができる。
【００３７】
また、本発明の二次著作物作成システムは、二次著作物の閲覧者が、二次著作物を閲覧するため、二次著作物作品情報における引用部品素材情報と、この引用部品素材情報の部品素材識別子に対応する部品素材のある引用著作物作品情報とが必要になるため、閲覧者がこの引用著作物作品情報を購入しない限り、二次著作物を閲覧することができないため、一次著作物の著作権者の権利と、二次著作物の作成者の著作権の双方を保護して、安心して一次及び二次著作物を作成することが可能となる。
【００３８】
また、本発明の二次著作物作成システムは、二次著作物作品情報において引用している一次著作物の素材データを、部品素材識別子により特定しており、この部品素材識別子が引用著作物作品情報の部品素材情報に設けられた項目のため、一次著作物作品情報を購入しても、一次著作物作品情報に部品素材情報の項目がないため、一次著作物作品情報から二次著作物が引用している素材データを抽出して引用することができず、一次著作物の作成者の著作権を保護することが可能となる。
そして、本発明の二次著作物作成システムにおいては、二次著作物作品情報の引用部品素材情報における部品素材識別子は、引用著作物作品情報の部品素材情報における部品素材識別子と関連づけられており、この部品素材情報の一次素材識別子は一次素材情報の一次素材識別子と関連づけられている。
この結果、本発明の二次著作物作成システムは、引用部品素材情報における一次著作物識別子により引用著作物作品情報を特定し、この引用著作物作品情報から、引用部品素材情報の部品素材識別子により、引用した部品素材情報が検索され、この部品素材情報の一次素材識別子により、一次素材情報が検索され、引用著作物作品情報における素材データを特定することができる。
【００３９】
次に、図１、図３、図４、及び図５を参照し、一実施形態の動作例を説明する。この図３、４、５は、各々、一次著作物作成部１、部品素材化部２、二次著作物作成部５のそれぞれの動作例を示すフローチャートである。
＜一次著作物作成部１の動作例＞
図３に示すステップＳ１において、一次著作物作成者は、一次著作物作成部１において、一次著作物の作成を行うか再編集を行うかの選択処理を行う。
このとき、一次著作物作成部１は、一次著作物作成者の入力する作成または再編集のいずれかであるかを判定し、新たな一次著作物の作成であると判定した場合、処理をステップＳ２へ進め、すでに作成された一次著作物の編集であると判定した場合、処理をステップＳ３へ進める。
【００４０】
次に、ステップＳ２において、一次著作物作成部１は、一次著作物作成者の操作に従い、各種の素材データを作成することが出来る。
例えば、以下の一次著作物作成部１の動作に対する説明を、文字データ作成、画像（動画含む）データ作成等を行う素材作成編集機能を含むことを前提として行うが、動画データ作成、音声（音楽）データ作成等あらゆる素材データを作成することが可能である。
すなわち、一次著作物作成部１は、一次著作物作成者の操作に基づき、素材作成編集機能により、素材データを作成する領域を選択し、新しい素材データを、この領域の所定の位置に作成する。
図６において示すように、一次著作物作成部１は、図示しない表示画面において、作成初期において、枠１０のみが表示され、他は何も表示されていない。
【００４１】
このとき、一次著作物作成者は、一次著作物作成部１において、ポインティングデバイス（マウス、ペンなど場所を指定できるものなら何でも良い）により、素材データを作成する範囲を指定し、素材データとして素材Ａを作成し、文字データ「スポーツの歴史」を入力する。
また、同様に、一次著作物作成者は、一次著作物作成部１において、ポインティングデバイス（マウス、ペンなど場所を指定できるものなら何でも良い）により、素材データを作成する範囲を指定し、素材データとして素材Ｂを作成し、「スポーツの歴史においてサッカー…マラソンについては…」の文字データを入力する。
【００４２】
次に、ステップＳ４において、一次著作物作成者は、必要で有れば、一次著作物作成部１に他で生成した素材データを、外部から取り込むこともできる。
例えば、一次著作物作成者は、他の外部アプリケーションにおいて作成された画像を、素材読み込み機能により読み込み、素材データとして素材Ｃとした。
次に、ステップＳ５において、一次著作物作成部１は、一次著作物作成者の操作に基づき、内部で作成した、または外部から取り込んだ素材データ（素材Ａ、Ｂ、Ｃ）を組み合わせることにより、一次著作物の作成を行う。
【００４３】
そして、ステップＳ６において、一次著作物作成部１は、一次著作物作成者の操作に基づき、作品情報保存機能により、作成された一次著作物に、「スポーツの歴史」という作品名をつけ、一次著作物作品情報として、データベース３へ記憶させる。
これにより、データベース３においては、上記一次著作物作品情報に対応して、図７に示すように、一次著作物情報、一次ページ情報、この一次ページ情報の一次素材識別子リストに基づき、この一次素材識別子リストにおける各一次素材識別子により各々対応づけられた、素材Ａ、素材Ｂ、素材Ｃに関する一次素材情報が含まれている。
一次素材情報には、「素材データ」の項目において、素材データの生データが含まれており、この例では、素材Ａの生データが文字データ「スポーツの歴史」、素材Ｂが「スポーツの歴史においてサッカー…マラソンについては…」、素材Ｃが外部アプリケーションで作成した画像データとなる。
【００４４】
一方、ステップＳ１において、一次著作物作成部１は、一次著作物作成者の入力する作成または再編集のいずれかであるかを判定し、すでに作成された一次著作物の編集であると判定した場合、処理をステップＳ３へ進める。
そして、ステップＳ３において、一次著作物作成部１は、一次著作物作成者の操作に基づき、作品情報読み込み機能により、一次著作物識別子に基づき、データベース３から所定の一次著作物作品情報を検索／抽出して読み込み、作品表示機能により表示画面に表示し、この表示された一次著作物において、作品編集機能により、上記素材Ａ、Ｂ、Ｃに対して、任意に位置の移動やトリミングなどの処理を行い、必要に応じて作成した一次著作物の編集、修正及び変更を行うことができる。
【００４５】
＜部品素材化部２の動作例＞
図４に示すステップＳ１１において、一次著作物作成者は、部品素材化部２により、一次著作物の素材データの二次著作物への部分的な引用を可能とするため、部品素材化の対象の一次著作物を、データベース３から読み出す。
ここで、一次著作物作成者は、一次著作物の各素材データを、一次著作物から二次著作物へ引用を可能とする場合、二次著作物への引用の可否が示される引用可否データを含む部品素材情報を有する引用著作物作品情報を、部品素材化部２により生成しておく必要がある。
一方、一次著作物作成者は、作成した一次著作物の二次著作物への引用を許可しない場合、部品素材化処理を行い、部品素材情報を添付し、引用著作物作品情報を生成する必要がない。
【００４６】
次に、ステップＳ１２において、部品素材化部２は、一次著作物作成者の操作に基づき、作品情報読み込み機能により、読み込んだ一次著作物作品情報を、作品表示機能により、図８に示すように、表示画面に表示する。
そして、ステップＳ１３において、一次著作物作成者は、部品素材化部２で、表示画面を参照して、この表示画面上でポインティングデバイスを用いて部品素材化する素材データや、一次著作物及び素材データの領域（部分）の選択を行う（範囲指定を行う）。
ここで、部品素材化においては、一次著作物のページや素材データの所定の領域（部分）を示す部品素材化（部品素材とする領域の範囲指定）及び素材データから一部を抽出する部品素材化と、素材データ自体（あるいは一次著作物のページ自体）をそのまま素材データとする部品素材化とが可能である。
このとき、部品素材として、一次著作物のページ自体（すなわち、ページ全体）をそのまま部品素材とする場合、部品素材情報には、この部品素材化したページを特定するための一次ページ識別子が記憶される。
【００４７】
次に、ステップＳ１４において、部品素材化部２は、一次著作物作成者の操作により、選択した部品素材化する対象の素材データ及びこの素材データの領域を、一次著作物の一次素材情報から、引用可能とする素材データまたは素材データの領域を抽出し、部品素材とし、この部品素材に対応して引用可否データ（引用可または引用不可が示される）を含む部品素材情報を添付して、部品素材化の処理を行う。
ここで、部品素材化部２は、この部品素材情報を、全体、または一次著作物の部分的な場所（例えば、ページ、画像、時間軸上の場所（音楽、動画など）、文章の段落（文字データなど））等を指し示すデータとして定義し、データベース３において、一次著作物作品情報に対応させて記憶する。
【００４８】
例えば、一次著作物作成者は、素材Ａを部品化せず、素材Ｂ、素材Ｃのみ選択して、部品素材化して引用を可能とすることにした。
このため、一次著作物作成者は、部品素材化部２において、素材Ｂに関して、文章の切れ目において部品素材化するため、部品素材化機能により部品素材化する部分を、ポインティングデバイス（マウス、ペン等）により選択し、その部分の素材データを部品素材化する操作を行った。
【００４９】
そして、一次著作物作成者は、素材Ｂに対して、上述した操作を２度行うことにより、この部品素材から、新たな２つの部品素材（部品素材Ｂ−１、Ｂ−２）を生成した。
また、一次著作物作成者は、素材Ｃに関して、人物単位で部品素材化を行うため、部品素材化部２における部品素材化機能により、画像の一部分をポインティングデバイスにより選択し、この選択した画像の一部分を部品素材とした。
ここで、上述した画像の一部の選択処理は、部品素材化部２における部品素材化機能により、画像の座標を指定して、その部分のみを引用可能とすることにより行う。
一次著作物作成者は、素材Ｃに対して、上述した処理を左の人物と右の人物に対して２度行うことにより、この素材Ｃにおいて、これらの人物を別々の部品素材（素材Ｃ−１、Ｃ−２）とする部品素材化を行った。
【００５０】
また、このとき、部品素材化部２は、引用可能とされた一次著作物の作品情報である引用著作物作品情報を、図９に示す構成で生成する。
図９に示されているように、素材Ａは部品素材化されていない。したがって、この場合、素材Ａの引用はできない。
そして、素材Ｂは文字データの一部が抽出され、素材Ｂ−１、素材Ｂ−２の２つの部品素材とされている。
素材Ｃはそのままの素材データ状態であり、素材Ｃ−１、素材Ｃ−２として、画像の一部分を部品素材として引用されることを示す部品素材情報となっている。　すでに述べたように、部品素材化においては、素材データの部分を示す素材化と、実際に素材データを抽出して部品素材とする方法の両方の処理が可能である。
【００５１】
次に、ステップＳ１５において、一次著作物作成者は、部品素材化部２において、部品素材化が終了すると、一次著作物の部品素材情報各々に対して引用可否データを登録し、一次著作物作品情報とこの部品素材情報とを合わせて、引用著作物作品情報として、データベース３へ格納する（記憶させる）。
ここで、部品素材情報における引用可否データに対する引用の可否の設定としては、いろいろな方法が考えられる。
【００５２】
例えば、引用可能の処理を行った一次著作物の部品素材情報一覧を表示するメニューを作成し、この部品素材情報一覧を表示し、その一覧表示画面において、引用可否データに対して引用の可否を設定する方法がある。
また、他の方法として、部品素材をマウスによって右クリックすることにより、部品素材の詳細な部品素材情報を表示し、ここで引用可否データに対して引用の可否を設定することもできる。
【００５３】
部品素材化部２は、上述した方法が部品素材化機能の一部であり、引用可能とされた一次著作物を、一次著作物情報、一次ページ情報に部品素材識別子リストが付加された引用ページ情報、一次素材情報、部品素材情報を１つとした引用著作物作品情報として、データベース３に記憶する。
そして、引用可能な一次著作物を流通させるとき、このデータベース３に記憶されている引用著作物作品情報を、任意に抽出して流通させる。
ここで、引用著作物作品情報においては、部品素材化され、かつ引用可能とされた部品素材のみが二次著作物への引用が可能となる。
上述した例としては、この一次著作物を元に作成された引用著作物作品情報を、作品名「スポーツの歴史」としてＣＤ−ＲＯＭに記録し、流通させて販売しているとする。
【００５４】
＜一次著作物閲覧部４の動作例＞
一次著作物作成部１で生成された一次著作物作品情報、及び部品素材化部２で生成された引用著作物作品情報を各々、ＣＤ−ＲＯＭ、ＤＶＤ等の記録媒体及びネットワークを介して、別々の作品として流通させることができる。
この場合、一次著作物閲覧者は、上記記録媒体またはネットワークにより、一次著作物作品情報または引用著作物作品情報を購入することにより、一次著作物を閲覧する権利を得て、一次著作物の閲覧が可能となる。
このとき、一次著作物閲覧者は、パーソナルコンピュータに一次著作物閲覧部４の機能を持たせるためにインストールする、著作物を閲覧するためのユーティリティプログラムも購入する必要がある。
【００５５】
そして、１次著作物閲覧者がＣＤ−ＲＯＭドライブに購入した一次著作物作品情報の記憶されたＣＤ−ＲＯＭを挿入して、上記ユーティリティプログラムを起動させることにより、一次著作物閲覧部４は、このユーティリティプログラムの作品情報読み込み機能により、上記ＣＤ−ＲＯＭから一次著作物作品情報を読み込み、作品表示機能により表示画面に一次著作物を表示する。
ここで、一次著作物閲覧部４は、一次著作物の作品を、一次著作物作品情報における一次著作物情報、一次ページ情報、一次素材情報の通り表示する。
この場合、上記表示画面には、一次著作物作成者が作成した通りの一次著作物の作品が表示されるが、一次著作物の再編集や二次著作物への引用はできない。
【００５６】
一次著作物の引用を可能とする場合は、すでに述べたように、部品素材化部２により、一次著作物を部品素材化し、部品素材毎に引用の可否を設定した引用著作物作品情報を作成する必要がある。
また、一次著作物閲覧者は、この一次著作物作品情報でなく、引用著作物作品情報を購入することでも、一次著作物を閲覧が可能であるが、一次著作物閲覧部４（インストールされたユーティリティプログラム）が引用及び編集機能を有していないため、引用著作物作品情報の記録されたＣＤ−ＲＯＭであっても、一次著作物から二次著作物の作成を行うことはできない。
【００５７】
＜二次著作物作成部５の動作例＞
図５に示すステップＳ２１において、二次著作物作成者は、引用著作物作品情報をＣＤ−ＲＯＭの形態で購入し、引用可能な一次著作物を購入することにより一次著作物の閲覧の権利と二次著作物への引用との権利を得る。
また、このとき、二次著作物作成者は、引用著作物作品情報から所定の部品素材を引用し、作品を編集する機能を有する二次著作物作成部５（部品素材を引用し、作品を編集するユーティリティプログラムがインストールされたパーソナルコンピュータなど）が必要である。
【００５８】
すなわち、二次著作物の作成における所定の一次著作物の使用の許諾は、引用可能な一次著作物の購入等によって得ることができる。
ここで、例えば、二次著作物作成者は、一次著作物作成者が作成し、流通・販売した作品名「スポーツの歴史」の入ったＣＤ−ＲＯＭを購入することにより、この作品の閲覧の権利と部品素材の引用の権利を得たとする。
【００５９】
そして、ステップＳ２１において、二次著作物作成部５は、二次著作物作成者が、ＣＤ−ＲＯＭをＣＤ−ＲＯＭドライブに挿入し、引用著作物作品情報の読み込みの操作を行うことにより、上記ＣＤ−ＲＯＭから、図９に示される引用著作物作品情報の各データを読み込む。
次に、二次著作物作成部５は、二次著作物作成者が入力する、二次著作物を作成する処理を行うための作成開始のコマンド（命令）の入力を検知すると、二次著作物の作成処理を開始する。
このとき、二次著作物作成部５は、二次著作物作成者が入力するコマンドが再編集を指示する場合、編集対象として指定された作品情報（二次著作物作品情報）を、記憶部６より検索／抽出して読み込み、この作品を前回の作成終了時に保存した状態で表示画面に表示する。
一方、二次著作物作成部５は、二次著作物作成者が入力するコマンドが新しい二次著作物の作成を指示する場合、図１０に示す二次著作物の作品を作成する枠２０を、初期画面（枠２０だけが表示されており他は何も表示されていない状態）として表示画面に表示する。
【００６０】
そして、ステップＳ２２において、二次著作物作成部５は、二次著作物作成者の二次素材データの作成の操作に従い、二次著作物作成部５における素材データ作成機能により、二次著作物に使用する二次素材データ（二次著作物作成者の作成する二次素材情報として扱われる）を作成する。ここで、例えば、二次著作物作成者の作成の操作に基づき、二次素材データとして素材Ｅ及び素材Ｆの作成を行う。
ここで、上記二次著作物作成部５においては、文字データ作成、画像データ作成機能を含むことを前提とするが、動画データ作成、音声データ作成等あらゆる素材データを作成することが可能である。
また、素材Ｅ及びＦは、文字データであり、各々「サッカーの歴史」、「サッカー選手」の文字列データで構成されている。
【００６１】
このとき、二次著作物作成部５は、二次著作物作成者の操作に従い、素材データ作成機能により、二次著作物作成者が入力する、表示画面の枠２０内部でポインティングデバイス（マウス、ペンなど場所を指定できるものなら何でも良い）で上記素材を作成する範囲を検知し、また、二次著作物作成者の入力する素材Ｅの文字列データ「サッカーの歴史」を作成し、また同様に素材Ｆの文字列データ「サッカー選手」を、二次素材データとして作成する。
【００６２】
また、二次著作物作成者は、二次著作物作成部５に、記録媒体またはネットワークを介して、自身が他のアプリケーションで作成した二次素材データを取り込み、二次著作物の作成に使用することもできる。
このとき、二次著作物作成部５は、二次著作物作成者が生成した二次素材データ毎に、二次素材情報として一次素材情報と同様に、二次素材識別子、素材分類、レイアウト、二次素材データ（二次素材データ本体）、分類固有データを各々生成する。
【００６３】
次に、ステップＳ２３において、二次著作物作成部５は、二次著作物作成者の一次著作物からの部品素材の引用処理の操作に基づき、挿入されたＣＤ−ＲＯＭ（引用可能とされた一次著作物の作品名「スポーツの歴史」）から、部品素材を引用する状態とするため、部品素材読み込み機能により、作品名「スポーツの歴史」の図９に示すデータを元に、図１１に示す画面を表示する。
ここで、二次著作物作成部５は、上記表示画面を、一次著作物閲覧部４で表示した画面と同様のレイアウトで表示するが、引用可能（引用可否データが引用可として設定されている）な部品素材（例えば、部品素材Ｂ−１、Ｂ−２、Ｃ−１、Ｃ−２）に対して、二重線の枠を設けて表示されている。
【００６４】
また、二次著作物作成部５は、上述した例において、引用可能な部品素材の枠を二重線により表している。
しかしながら、引用可能な部品素材の表示方法は、引用が許可されていない素材と区別可能な状態とする表示方法であれば、どのような表示形態でも良い。
すでに述べたように、一次著作物作成者、すなわち一次著作物の著作権者が許諾した部品素材のみが引用の対象となる。
次に、二次著作物作成部５は、二次著作物作成者が２次著作物に使用する部品素材を、ポインティングデバイスなどにより選択すると、この部品素材を検出し、この部品素材の一次著作物識別子及び部品素材識別子を内部に記憶する。
【００６５】
このとき、二次著作物作成者は、ポインティングデバイスにより、部品素材Ｃ−１を選択したとする。
そして、二次著作物作成部５は、二次著作物作成者が素材データ及び部品素材の編集処理を行うための命令を入力すると、表示画面を図１０の画面に戻し、処理をステップＳ２４へ進める。
【００６６】
次に、ステップＳ２４において、二次著作物作成部５は、二次著作物作成者がポインティングデバイスにより、一次著作物から引用した部品素材を配置する位置を指定する操作により、枠２０内のポインティングデバイスの指定する位置に、内部に記憶していた部品素材Ｃ−１を配置する。
そして、二次著作物作成部５は、二次著作物作成者の編集操作により、素材データ及び部品素材の配置位置の変更及び内容の編集を行う。
ここで、二次著作物作成部５は、素材データの配置位置を二次素材情報におけるレイアウトのデータとし、引用した部品素材の配置位置を引用部品素材情報におけるレイアウトのデータとする。
【００６７】
次に、ステップＳ２５において、二次著作物作成部５は、図１０に示す形態で作成した二次著作物を記憶部６へ登録（記憶）する。
このとき、二次著作物作成部５は、図１２のテーブルに示すように、二次著作物情報における、作品名（「サッカーの歴史」）、二次著作物の著作権を有する権利者名（例えば、「乙」）、二次著作物固有データ、二次ページ識別子リストと、二次ページ情報における二次ページ識別子、使用している二次素材データを一覧表示する二次素材識別子リスト（素材Ｅ、素材Ｆがリストに表示される）、一次著作物から引用している部品素材を一覧表示する引用部品素材識別子リスト（引用部品素材Ｃ−１がリストに表示される）と、上記二次素材識別子リストに識別子が記載されている各二次素材情報（素材Ｅ及びＦの２つの二次素材情報がある）における、二次素材識別子、素材分類、レイアウト、素材データ、分類固有データと、上記引用部品素材識別子リストに記載されている各引用部品素材情報（引用された部品素材Ｃ−１に関する情報）における、引用部品素材識別子、一次著作物識別子、部品素材識別子、レイアウトとを、二次著作物作品情報として、記憶部６に記憶する。
【００６８】
ここで、二次著作物作成部５は、上述したように、二次著作物作品情報に対して、二次著作物作成者が作成した二次素材データの実データを二次素材情報として含ませるが、引用著作物作品情報から引用する部品素材を実データとして含ませず、引用元の引用著作物作品情報を特定する一次著作物識別子と、部品素材を特定する部品素材識別子とを引用部品素材情報として持たせている。
これにより、二次著作物閲覧者は、二次著作物作品情報のみでなく、この二次著作物において引用されている引用著作物作品情報を有さない限り、二次著作物の表示に必要な部品素材を引用することができないため、完全な形態の二次著作物を鑑賞することができない。
【００６９】
すなわち、二次著作物作成部５は、この時点で図１０に示すように表示しており、素材Ｅ及び素材Ｆが二次著作物作成者により作成された素材データであるため、二次著作物作品情報の二次素材情報から実データとして読み出されて表示している。
しかしながら、二次著作物作成部５は、引用している部品素材Ｃ−１が引用著作物作品情報である作品名「スポーツの歴史」から引用された部品素材であるため、画面表示時において、一次著作物識別子及び部品素材識別子によって識別され、引用著作物作品情報から読み出され、二次著作物作品情報における引用部品素材情報のレイアウトにしたがって、所定の配置位置で二次著作物の一部分として表示される。
【００７０】
上述したように、引用部品素材Ｃ−１が引用著作物作品情報から引用された部品素材であるため、二次著作物作品情報にはこの引用部品素材Ｃ−１（すなわち、引用可能な素材データ）の生データ（実データ）が含まれておらず、二次著作物作品情報において使用する部品素材として、一次著作物識別子及び部品素材識別子を用いて、引用著作物作品情報から検索されて引用される。
二次著作物作成者は、二次著作物作成部５において作成された二次著作物作品情報（作品名「サッカーの歴史」）を、記録部６から読み出し、記録媒体またはネットワークを通じて流通させる。
【００７１】
＜二次著作物閲覧部７の動作例＞
二次著作物閲覧者は、二次著作物閲覧部７（二次著作物作品情報を閲覧する機能を有するユーティリティプログラムがインストールされたパーソナルコンピュータなど）により、二次著作物を閲覧することが可能である。
しかしながら、二次著作物が一次著作物の部品素材を引用している場合、二次著作物閲覧者は、二次著作物情報のみでなく、この二次著作物で引用されている部品素材を有する一次著作物の引用著作物作品情報が必要となる。
【００７２】
そして、二次著作物閲覧者がネットワークを介して、二次著作物である作品名「サッカーの歴史」の二次著作物作品情報を取得したとする。
すでに述べたように、この作品名「サッカーの歴史」は、一次著作物である作品名「スポーツの歴史」の部品素材を引用している。
このため、二次著作物閲覧者が、この二次著作物を閲覧するためには、一次著作物の引用著作物作品情報、すなわち、一次著作物作成者が作成及び販売した作品名「スポーツの歴史」の入ったＣＤ−ＲＯＭを購入する必要がある。
【００７３】
そして、二次著作物閲覧者は、販売されている作品名「スポーツの歴史」の入ったＣＤ−ＲＯＭを購入し、二次著作物閲覧部７において、二次著作物である作品名「サッカーの歴史」を閲覧する。
二次著作物閲覧部７は、二次著作物作品情報のＣＤ−ＲＯＭが挿入され、二次著作物の閲覧を要求する操作が行われると、このＣＤ−ＲＯＭから、図１２に示す各情報及びデータを読み出し、内部の記憶部に記憶するとともに、表示画面に二次著作物の表示を行う。
このとき、二次著作物閲覧部７は、作品情報読み込み機能により、二次著作物作品情報をＣＤ−ＲＯＭから読み込み、二次ページ情報及び二次素材情報の各データに基づいて、素材Ｅ及びＦを表示画面に表示する。
【００７４】
このとき、二次著作物閲覧部７は、二次著作物作品情報に実データがある素材データである素材Ｅ及びＦは表示するが、一次著作物から引用した部品素材の部品素材Ｃ−１の実データがないため、この部品素材Ｃ−１の表示を行わない。
そして、二次著作物閲覧部７は、一次著作物の引用著作物作品情報である、作品名「スポーツの歴史」のＣＤ−ＲＯＭをＣＤ−ＲＯＭドライブに挿入することにより、この引用著作物作品情報から、引用部品素材情報における一次著作物識別子と部品素材識別子とから部品素材Ｃ−１を特定する。
【００７５】
次に、このＣＤ−ＲＯＭの引用著作物作品情報から抽出して読み出し、引用部品素材情報におけるレイアウトのデータに基づき、二次著作物の所定の位置に、この部品素材Ｃ−１を配置し、図１０に示す完全な形態の二次著作物の表示を行う。
ここで、二次著作物閲覧部７は、部品素材情報の有無を検出することにより、作品情報が引用著作物作品情報であるか否かの判定を行っている。
すなわち、二次著作物閲覧部７は、部品素材情報があることを検出した場合、作品情報を引用著作物作品情報と判定し、部品素材情報が無いことを検出した場合、作品情報を一次著作物作品情報と判定する。
【００７６】
また、二次著作物閲覧部７は、挿入したＣＤ−ＲＯＭの引用著作物作品情報から、二次著作物作品情報における引用部品素材情報により、一次著作物またはこの一次著作物における部品素材が特定できない場合、また、上記ＣＤ−ＲＯＭにおける一次著作物識別子が対応しない（引用している部品素材が含まれる一次著作物では無い）場合、二次著作物閲覧者に対して一次著作物の特定を求める画面を表示する。
そして、二次著作物閲覧部７は、挿入したＣＤ−ＲＯＭが二次著作物の引用している引用著作物作品情報に対応しているか否かの判定を促し、二次著作物閲覧者がＣＤ−ＲＯＭを、他の引用著作物作品情報が記憶されたＣＤ−ＲＯＭと替えて挿入し直しても特定できない場合、引用された部品素材の配置された位置に何も表示しない。
【００７７】
上述してきたように、本発明の二次著作物作成システムは、二次著作物の完成品としての二次著作物作品情報に、引用する一次著作物を識別する一次著作物識別子と、この一次著作物における引用可能な部品素材を識別する部品素材識別子とをデータとして持たせ、引用する部品素材（部品化された素材データ）の実データ（素材データの実際のデータ）を二次著作物のデータとして持たせないため、一次著作物の素材データを引用著作物作品情報が無い状態で使用することができず、二次著作物作成部５において二次著作物を作成する場合、また二次著作物閲覧部７において、二次著作物を閲覧する場合の双方において、一次著作物作成者が部品素材化部２で引用可能に設定した部品素材を有する引用著作物作品情報を購入または入手する必要があるため、一次著作物の不正使用に対して、従来の電子透かしなどのように、一次著作物に直接不正使用防止のデータを設定する必要がないため、一次著作物作成者の負荷が削減され、且つ、引用された部品素材が含まれる引用著作物作品情報が必ず購入されるため、一次著作物作成者に対してロイヤルティが必ず入り、特別な著作権に対応した部品素材の使用の代価の支払いシステムを作成せずに、簡易に著作物に対する代価の支払いが行える効果がある。
【００７８】
また、本発明の二次著作物作成システムは、電子透かし等により直接デジタル化された著作物に対して加工を行うことなく、部品素材化部２において、一次著作物に基づいて、部品素材化して、部品素材毎に引用の可否を示す引用可否データ（二次著作物への利用を許可するか否かのデータ）を含めて引用著作物作品情報として、この引用著作物作品情報を流通させることにより、一次著作物の二次著作物への利用を前提に、部品素材を作成することができ、二次著作物作成部５において二次著作物を作成する場合、引用可否データが引用可能となっていない部品素材の引用ができないため、著作権者の権利を保護しつつ、かつ、著作権に基づく引用の可否を明確にしているので、著作物の二次利用を容易とする効果がある。
【００７９】
さらに、本発明の二次著作物作成システムは、部品素材化部２において、一次著作物の各素材データを部品素材化して、部品素材単位で二次著作物への引用の可否を設定できるので、作品における著作権の範囲を自由に調整できるため、全体として引用をしたくないため、作品全体を引用不可としていた一次著作物作成者が、引用しても良い範囲のみを引用可能とすることができ、二次著作物の作成における素材を増加させて、二次著作物の作成の幅を広げる効果がある。
【００８０】
したがって、本発明の二次著作物作成システムは、従来例と異なり、作品の部分的な利用として、素材である風景画の山だけを引用可能とするようなことが出来る。
そして、上記二次著作物作成システムにおいては、すでに作成された素材を部品素材化することが行えるため、より小さな、一次著作物の作成者の希望する単位で引用可能とすることが出来るので、より柔軟で使いやすいものとなり、著作権者の希望する単位で自由に引用可能と出来、且つ、二次著作物の作成者は著作権を侵害することなく、安心して二次著作物を作成することが出来る。
さらに、従来のネットワークを前提としたシステムが、ネットワークに接続していない環境において、二次著作物の作成、表示等が出来ないのと比較して、本発明の二次著作物作成システムは、ＣＤ−ＲＯＭ等のメディアを購入することにより、二次著作物への引用、表示を行うことが可能となり、ネットワークに接続されていない場合でも、二次著作物の作成、表示を行うことができる。
【００８１】
また、上記した本発明の実施形態においては、二次著作物作成システムの動作において実行される手順をプログラムとしてコンピュータ読取り可能な記録媒体に記録し、この記録媒体に記録されたプログラムをコンピュータシステムに読み込ませ、実行することにより本発明の利用者属性登録情報自動更新装置が実現されるものとする。ここでいうコンピュータシステムとは、ＯＳや周辺機器等のハードウェアを含むものである。
【００８２】
更に、「コンピュータシステム」は、ＷＷＷシステムを利用している場合であれば、ホームページ提供環境（あるいは表示環境）も含むものとする。
また、「コンピュータ読取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００８３】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００８４】
以上、本発明の一実施形態を図面を参照して詳述してきたが、具体的な構成はこの実施形態に限られるものではなく、本発明の要旨を逸脱しない範囲の設計変更等があっても本発明に含まれる。
【００８５】
【発明の効果】
本発明の二次著作物作成システムによれば、二次著作物の完成品としての二次著作物作品情報に、引用する一次著作物を識別する一次著作物識別子と、この一次著作物における引用可能な部品素材を識別する部品素材識別子とをデータとして持たせ、引用する部品素材（部品化された素材データ）の実データ（素材データの実際のデータ）を二次著作物のデータとして持たせないため、一次著作物の素材データを引用著作物作品情報が無い状態で使用することができず、二次著作物を作成する場合、また二次著作物を閲覧する場合の双方において、一次著作物作成者が引用可能に設定した部品素材を有する引用著作物作品情報を購入または入手する必要があるため、一次著作物の不正使用に対して、従来のように電子透かしなどのように、一次著作物に直接不正使用防止のデータを設定する必要がなくなるため、一次著作物作成者の負荷が削減される。
そして、本発明の二次著作物作成システムにおいては、すでに作成された素材を部品素材化することが行えるため、より小さな、一次著作物の作成者の希望する単位で引用可能とすることが出来るので、より柔軟で使いやすいものとなり、著作権者の希望する単位で自由に引用可能と出来、且つ、二次著作物の作成者は著作権を侵害することなく、安心して二次著作物を作成することが出来る。
【図面の簡単な説明】
【図１】本発明の一実施形態による二次著作物作成システムの構成例を示す概念図である。
【図２】図１のデータベース３及び記憶部６に記憶される各テーブルである。
【図３】図１の一次著作物作成部１の動作例を示すフローチャートである。
【図４】図１の部品素材化部２の動作例を示すフローチャートである。
【図５】図１の二次著作物作成部５の動作例を示すフローチャートである。
【図６】一次著作物を一次著作物作成部１の表示画面で表示した概念図である。
【図７】表示画面に表示された図６の概念図に示す一次著作物の各情報を示すテーブルである。
【図８】部品素材化部２における一次著作物の部品素材化処理を説明する概念図である。
【図９】図８の概念図において、部品素材化された一次著作物の各情報を示すテーブルである。
【図１０】二次著作物を二次著作物作成部５の表示画面で表示した概念図である。
【図１１】一次著作物を二次著作物作成部５の表示画面で表示した概念図である。
【図１２】図１０の概念図において、部品素材化された二次著作物の各情報を示すテーブルである。
【符号の説明】
１　一次著作物作成部
２　部品素材化部
３　データベース
４　一次著作物閲覧部
５　二次著作物作成部
６　記憶部
７　二次著作物閲覧部
【図１】
2004118324.tif 000003
【図２】
2004118324.tif 000004
【図３】
2004118324.tif 000005
【図４】
2004118324.tif 000006
【図５】
2004118324.tif 000007
【図６】
2004118324.tif 000008
【図７】
2004118324.tif 000009
【図８】
2004118324.tif 000010
【図９】
2004118324.tif 000011
【図１０】
2004118324.tif 000012
【図１１】
2004118324.tif 000013
【図１２】
2004118324.tif 000014